(57)【要約】  本技術は、１つの周波数帯域を複数のPLPで構成する場合に、PLPの帯域制御を行うことができるようにする送信装置、受信装置、及び、データ処理方法に関する。送信装置は、複数のPLPを含む物理層フレームの全体のセル数が、複数のPLPのセル数の総和と一致するように、各PLPで伝送されるコンポーネントのセル数を決定し、物理層フレームを含む放送ストリームを送信する。本技術は、例えば、複数のPLPを含む物理層フレームを含む放送ストリームを伝送するシステムに適用することができる。
2017047424.tif 000002
【特許請求の範囲】
【請求項１】
複数のPLP(Physical Layer Pipe)を含む物理層フレームの全体のセル数が、前記複数のPLPのセル数の総和と一致するように、各PLPで伝送されるコンポーネントのセル数を決定する処理部と、
前記物理層フレームを含む放送ストリームを送信する送信部と
を備える送信装置。
【請求項２】
前記コンポーネントは、セグメント長と帯域により定まるセグメント単位で処理される
請求項１に記載の送信装置。
【請求項３】
前記処理部は、前記セグメントごとに、前記セグメント長及び前記帯域の少なくとも一方を可変制御することで、前記セグメントの符号量を動的に変化させる
請求項２に記載の送信装置。
【請求項４】
前記複数のPLPは、PLPごとに変調パラメータが異なる
請求項１に記載の送信装置。
【請求項５】
前記処理部は、前記コンポーネントの発生符号量の変化が発生した場合、対象のセグメント内の帯域を増加又は減少させる
請求項２に記載の送信装置。
【請求項６】
前記処理部は、前記コンポーネントの発生符号量の増加が発生した場合、対象のセグメントを終了させて、新たなセグメントを開始させる
請求項２に記載の送信装置。
【請求項７】
前記処理部は、前記コンポーネントとして、非リアルタイム型のコンポーネントを含む場合、リアルタイム型のコンポーネントの発生符号量に応じて、前記非リアルタイム型のコンポーネントのセグメントの帯域を制御する
請求項２に記載の送信装置。
【請求項８】
前記物理層フレームの全体のセル数は、前記物理層フレームの構造を決定したときに、一意に定まるパラメータである
請求項１に記載の送信装置。
【請求項９】
送信装置のデータ処理方法において、
前記送信装置が、
複数のPLPを含む物理層フレームの全体のセル数が、前記複数のPLPのセル数の総和と一致するように、各PLPで伝送されるコンポーネントのセル数を決定し、
前記物理層フレームを含む放送ストリームを送信する
ステップを含むデータ処理方法。
【請求項１０】
複数のPLPを含む物理層フレームであって、前記物理層フレームの全体のセル数が、前記複数のPLPのセル数の総和と一致するように、各PLPで伝送されるコンポーネントのセル数が割り当てられた前記物理層フレームを含む放送ストリームを受信する受信部と、
前記物理層フレームを処理する処理部と
を備える受信装置。
【請求項１１】
前記複数のPLPは、PLPごとに変調パラメータが異なる
請求項１０に記載の受信装置。
【請求項１２】
受信装置のデータ処理方法において、
前記受信装置が、
複数のPLPを含む物理層フレームであって、前記物理層フレームの全体のセル数が、前記複数のPLPのセル数の総和と一致するように、各PLPで伝送されるコンポーネントのセル数が割り当てられた前記物理層フレームを含む放送ストリームを受信し、
前記物理層フレームを処理する
ステップを含むデータ処理方法。
【発明の詳細な説明】
【技術分野】
【０００１】
本技術は、送信装置、受信装置、及び、データ処理方法に関し、特に、１つの周波数帯域を複数のPLPで構成する場合に、PLPの帯域制御を行うことができるようにした送信装置、受信装置、及び、データ処理方法に関する。
【背景技術】
【０００２】
次世代地上放送規格の１つであるATSC(Advanced Television Systems Committee)3.0では、データ伝送に、主として、TS(Transport Stream)パケットではなく、IP/UDP、すなわち、UDP(User Datagram Protocol)パケットを含むIP(Internet Protocol)パケットを用いる方式（以下、IP伝送方式という）が採用されることが決定されている。また、ATSC3.0以外の放送規格でも、将来的に、IP伝送方式が採用されることが期待されている。【０００３】
ここで、コンテンツ等の伝送データは、PLP(Physical Layer Pipe)単位で伝送することができる（例えば、非特許文献１参照）。また、ATSC3.0では、１つの周波数帯域（例えば、１チャンネル（物理チャンネル）に対応した6MHzの周波数帯域）が、１又は複数のPLP(Physical Layer Pipe)により構成されるようにしている。
【先行技術文献】
【非特許文献】
【０００４】
【非特許文献１】ETSI EN 302 755 V1.2.1 (2010-10)
【発明の概要】
【発明が解決しようとする課題】
【０００５】
しかしながら、１つの周波数帯域を複数のPLPで構成するための技術方式が確立されておらず、１つの周波数帯域を複数のPLPで構成する場合において、PLPの帯域制御を行うための提案が要請されていた。【０００６】
本技術はこのような状況に鑑みてなされたものであり、１つの周波数帯域を複数のPLPで構成する場合に、PLPの帯域制御を行うことができるようにするものである。
【課題を解決するための手段】
【０００７】
本技術の第１の側面の送信装置は、複数のPLP(Physical Layer Pipe)を含む物理層フレームの全体のセル数が、前記複数のPLPのセル数の総和と一致するように、各PLPで伝送されるコンポーネントのセル数を決定する処理部と、前記物理層フレームを含む放送ストリームを送信する送信部とを備える送信装置。【０００８】
本技術の第１の側面の送信装置は、独立した装置であってもよいし、１つの装置を構成している内部ブロックであってもよい。また、本技術の第１の側面のデータ処理方法は、上述した本技術の第１の側面の送信装置に対応するデータ処理方法である。【０００９】
本技術の第１の側面の送信装置、及び、データ処理方法においては、複数のPLPを含む物理層フレームの全体のセル数が、前記複数のPLPのセル数の総和と一致するように、各PLPで伝送されるコンポーネントのセル数が決定され、前記物理層フレームを含む放送ストリームが送信される。【００１０】
本技術の第２の側面の受信装置は、複数のPLPを含む物理層フレームであって、前記物理層フレームの全体のセル数が、前記複数のPLPのセル数の総和と一致するように、各PLPで伝送されるコンポーネントのセル数が割り当てられた前記物理層フレームを含む放送ストリームを受信する受信部と、前記物理層フレームを処理する処理部とを備える受信装置である。【００１１】
本技術の第２の側面の受信装置は、独立した装置であってもよいし、１つの装置を構成している内部ブロックであってもよい。また、本技術の第２の側面のデータ処理方法は、上述した本技術の第２の側面の受信装置に対応するデータ処理方法である。【００１２】
本技術の第２の側面の受信装置、及び、データ処理方法においては、複数のPLPを含む物理層フレームであって、前記物理層フレームの全体のセル数が、前記複数のPLPのセル数の総和と一致するように、各PLPで伝送されるコンポーネントのセル数が割り当てられた前記物理層フレームを含む放送ストリームが受信され、前記物理層フレームが処理される。
【発明の効果】
【００１３】
本技術の第１の側面、及び、第２の側面によれば、１つの周波数帯域を複数のPLPで構成する場合に、PLPの帯域制御を行うことができる。【００１４】
なお、ここに記載された効果は必ずしも限定されるものではなく、本開示中に記載されたいずれかの効果であってもよい。
【図面の簡単な説明】
【００１５】
【図１】本技術を適用した伝送システムの構成例を示す図である。
【図２】図１の送信装置の構成例を示す図である。
【図３】図１の受信装置の構成例を示す図である。
【図４】PLPの帯域制御の概要を説明する図である。
【図５】物理層フレームの構造を示す図である。
【図６】サブフレームのパラメータの例を示す図である。
【図７】PLPのパラメータの例を示す図である。
【図８】セグメントの制御単位を示す図である。
【図９】シーンチェンジ発生時のセグメント帯域変更方式とセグメント分割方式を説明する図である。
【図１０】NRTコンテンツのデータ制御を説明する図である。
【図１１】本技術の帯域制御方式の一覧を示す図である。
【図１２】帯域制御方式１を採用した場合の帯域制御を説明する図である。
【図１３】伝送データと物理層フレームとの関係を示す図である。
【図１４】帯域制御方式２を採用した場合の帯域制御を説明する図である。
【図１５】帯域制御方式２Ｂを採用した場合の帯域制御を説明する図である。
【図１６】帯域制御方式３を採用した場合の帯域制御を説明する図である。
【図１７】帯域制御方式３Ａを採用した場合の帯域制御を説明する図である。
【図１８】帯域制御方式４を採用した場合の帯域制御を説明する図である。
【図１９】帯域制御方式４Ａを採用した場合の帯域制御を説明する図である。
【図２０】帯域制御方式４Ｂを採用した場合の帯域制御を説明する図である。
【図２１】送信側データ処理の流れを説明するフローチャートである。
【図２２】スケジューリング処理の詳細な流れを説明するフローチャートである。
【図２３】受信側データ処理の流れを説明するフローチャートである。
【図２４】送信装置の他の構成例を示す図である。
【図２５】コンピュータの構成例を示す図である。
【発明を実施するための形態】
【００１６】
以下、図面を参照しながら本技術の実施の形態について説明する。なお、説明は以下の順序で行うものとする。
【００１７】
１．システムの構成
２．本技術を適用したPLPの帯域制御の概要
３．帯域制御の具体例
４．各装置で実行される処理の流れ
５．変形例
６．コンピュータの構成
【００１８】
＜１．システムの構成＞
【００１９】
（伝送システムの構成例）
図１は、本技術を適用した伝送システムの一実施の形態の構成を示す図である。なお、システムとは、複数の装置が論理的に集合したものをいう。
【００２０】
図１において、伝送システム１は、送信装置１０と受信装置２０から構成される。この伝送システム１では、ATSC3.0等のIP伝送方式を採用したデジタル放送の規格に準拠したデータ伝送が行われる。
【００２１】
送信装置１０は、伝送路３０を介してコンテンツを送信する。例えば、送信装置１０は、テレビ番組等のコンテンツを構成するビデオやオーディオ等（のコンポーネント）とシグナリングを含む放送ストリームを、デジタル放送信号として、伝送路３０を介して送信する。
【００２２】
受信装置２０は、送信装置１０から伝送路３０を介して送信されてくる、コンテンツを受信して出力する。例えば、受信装置２０は、送信装置１０からのデジタル放送信号を受信して、放送ストリームから、コンテンツを構成するビデオやオーディオ等（のコンポーネント）とシグナリングを取得し、テレビ番組等のコンテンツの映像や音声を再生する。
【００２３】
なお、図１の伝送システム１においては、説明を簡単にするために、受信装置２０を１つだけ図示しているが、受信装置２０は複数設けることができ、送信装置１０が送信するデジタル放送信号は、伝送路３０を介して複数の受信装置２０で同時に受信することができる。
【００２４】
また、伝送システム１において、伝送路３０は、地上波放送のほか、例えば、放送衛星（BS：Broadcasting Satellite）や通信衛星（CS：Communications Satellite）を利用した衛星放送、あるいは、ケーブルを用いた有線放送（CATV）などであってもよい。
【００２５】
（送信装置の構成例）
図２は、図１の送信装置１０の構成例を示す図である。
【００２６】
図２において、送信装置１０は、スケジューラ１０１と、データ取得部１０２−１、エンコーダ１０３−１乃至１０３−３、マルチプレクサ１０４−１、及び、PLP処理部１０５−１からなる第１の系列処理部と、データ取得部１０２−２、エンコーダ１０３−４乃至１０３−５、NRT処理部１０３−６、マルチプレクサ１０４−２、及び、PLP処理部１０５−２からなる第２の系列処理部と、物理層処理部１０６と、送信部１０７とから構成される。
【００２７】
なお、図２の送信装置１０では、１つの周波数帯域（例えば、１チャンネル（物理チャンネル）に対応した6MHzの周波数帯域）が、複数のPLPにより構成されるように処理することができるが、説明を簡略化するため、PLP#1（例えば通常のPLP）と、PLP#2（例えばロバストなPLP）の２つのPLPで構成されるように処理する場合を説明する。すなわち、図２の送信装置１０においては、通常のPLP#1に関する処理が、第１の系列処理部により行われ、ロバストなPLP#2に関する処理が、第２の系列処理部により行われることになる。なお、ATSC3.0では、１つの周波数帯域に、最大64個のPLPが配置可能である。
【００２８】
スケジューラ１０１は、エンコーダ１０３−１乃至NRT処理部１０３−６で行われるエンコードの制御に関する処理と、PLP処理部１０５−１及びPLP処理部１０５−２で行われるPLPの帯域制御に関する処理を行う。
【００２９】
また、スケジューラ１０１には、物理層情報が入力される。この物理層情報には、物理層フレーム（PHY Frame）全体のセル数を示すトータルセル数と、PLPごとの変調パラメータが含まれる。
【００３０】
ここで、トータルセル数は、物理層フレームの構造（例えばフレーム長など）を決定したときに、一意に定まるパラメータである。また、セル（cell）とは、コンスタレーション内の符号化されたI/Q成分の一組である（One set of encoded I/Q components in a constellation.）。
【００３１】
具体的には、物理層フレームは、ブートストラップ（BS：Bootstrap）、プリアンブル（Preamble）、及び、ペイロード（Payload）から構成される。ブートストラップの長さは、ATSC3.0では、2ms（= 0.5ms×4）と規定されている。また、プリアンブルとペイロードの長さは、全物理層フレームの長さから、ブートストラップの長さ（2ms）を減じることで求めることができる。
【００３２】
また、プリアンブルとペイロードは、データセル、L1シグナリングのセル、パイロットのセル、及び、Nullセルから構成される。これらのセル数は、PLPごとに決定されるmodcod（例えば、変調方式、符号長、符号化率など）と、サブフレーム（Subframe）ごとに決定される、FFTサイズ、ガードインターバル長、パイロットパターン、及び、キャリア数などの変調パラメータにより決定することができる。
【００３３】
これらの関係を利用することで、トータルセル数を求めることができる。なお、サブフレームの詳細な構造については、図５乃至図７を参照して後述する。また、物理層情報のトータルセル数は、物理層のシグナリングに含まれる情報（L1B_L1_Detail_total_cells）として伝送することができる。
【００３４】
また、変調パラメータには、PLP（例えばPLP#1とPLP#2）ごとに、変調方式などのパラメータを含む。なお、変調パラメータを変更すると、送信装置１０から送信されるデジタル放送信号の受信可能な範囲が変化してしまうため、一度放送が開始されると、変調パラメータは、基本的に固定とされる。
【００３５】
データ取得部１０２−１は、テレビ番組などのコンテンツを構成するコンポーネント（例えば、ビデオやオーディオ、字幕など）のデータを取得し、エンコーダ１０３−１、エンコーダ１０３−２、及び、エンコーダ１０３−３に供給する。
【００３６】
なお、以下の説明では、エンコーダ１０３−１で処理されるコンポーネント（のデータ）を、コンポーネントＣ１と称し、エンコーダ１０３−２で処理されるコンポーネント（のデータ）を、コンポーネントＣ２と称し、エンコーダ１０３−３で処理されるコンポーネント（のデータ）を、コンポーネントＣ３と称する。
【００３７】
データ取得部１０２−２は、テレビ番組などのコンテンツを構成するコンポーネント（例えば、ビデオやオーディオ、字幕など）のデータを取得し、エンコーダ１０３−４、エンコーダ１０３−５、及び、NRT処理部１０３−６に供給する。
【００３８】
なお、以下の説明では、エンコーダ１０３−４で処理されるコンポーネント（のデータ）を、コンポーネントＣ４と称し、エンコーダ１０３−５で処理されるコンポーネント（のデータ）を、コンポーネントＣ５と称し、NRT処理部１０３−６で処理されるコンポーネント（のデータ）を、コンポーネントＣ６（NRTコンテンツ）と称する。
【００３９】
ここで、第１の系列処理部としての、エンコーダ１０３−１、エンコーダ１０３−２、及び、エンコーダ１０３−３と、第２の系列処理部としての、エンコーダ１０３−４、エンコーダ１０３−５、及び、NRT処理部１０３−６は、処理対象のコンポーネントに応じた符号の難易度を示す符号難易度情報を、スケジューラ１０１に供給する。
【００４０】
すなわち、例えば、エンコーダ１０３−１は、動きの激しい映像や静止画に近い映像など、コンポーネントＣ１の符号難易度を示す符号難易度情報を、スケジューラ１０１に供給する。同様に、エンコーダ１０３−２乃至NRT処理部１０３−６においては、コンポーネントＣ２乃至コンポーネントＣ６に関する符号難易度情報が、スケジューラ１０１に供給される。
【００４１】
スケジューラ１０１には、エンコーダ１０３−１乃至NRT処理部１０３−６のそれぞれから、符号難易度情報が供給される。スケジューラ１０１は、例えば、符号難易度情報などに基づいて、各PLP（例えばPLP#1とPLP#2）で伝送されるコンポーネントＣ１乃至コンポーネントＣ６に割り当てるセル数（各コンポーネントのセル数）を決定する。
【００４２】
ここでは、符号の難易度の高い、例えば動きの激しい映像などには、多くのセル数（符号量）を割り当てる一方で、符号の難易度の低い、例えば静止画に近い映像などには、少ないセル数（符号量）を割り当てるなどして、セル数が決定される。また、例えば、通常のPLP#1とロバストなPLP#2など、PLPごとに変調パラメータは異なっている。この変調パラメータを用いることで、各コンポーネントのセル数から、エンコーダ１０３−１乃至NRT処理部１０３−６で処理されるコンポーネントＣ１乃至コンポーネントＣ６の符号量（以下、ターゲット符号量という）を算出することができる。
【００４３】
このようにして算出されたターゲット符号量は、エンコーダ１０３−１乃至NRT処理部１０３−６にそれぞれ供給される。
【００４４】
エンコーダ１０３−１は、スケジューラ１０１から供給されるターゲット符号量に基づいて、データ取得部１０２−１から供給されるコンポーネントＣ１のデータに対して、所定の符号化方式に応じたエンコードを行い、マルチプレクサ１０４−１に供給する。ただし、エンコーダ１０３−１で処理されるコンポーネントＣ１のデータは、ターゲット符号量に応じたセグメント単位で処理される。
【００４５】
ここで、セグメント（以下、セグメントＳとも記述する）とは、セグメント長Ｔと帯域Ｗにより定まる制御単位である。各セグメントＳ内では、一定のビットレート（CBR：Constant Bitrate）となり、セグメント単位で符号量が変化することになる。なお、セグメントの詳細な構造は、図８及び図９を参照して後述する。
【００４６】
同様に、エンコーダ１０３−２及びエンコーダ１０３−３においては、スケジューラ１０１から供給されるターゲット符号量に基づいて、データ取得部１０２−１から供給されるコンポーネントＣ２及びコンポーネントＣ３のデータのそれぞれがエンコードされ、マルチプレクサ１０４−１に供給される。ただし、エンコーダ１０３−２で処理されるコンポーネントＣ２のデータと、エンコーダ１０３−３で処理されるコンポーネントＣ３のデータは、ターゲット符号量に応じたセグメント単位で処理される。
【００４７】
また、エンコーダ１０３−４乃至NRT処理部１０３−６においては、スケジューラ１０１から供給されるターゲット符号量に基づいて、データ取得部１０２−２から供給されるコンポーネントＣ４乃至コンポーネントＣ６のデータのそれぞれがエンコードされ、マルチプレクサ１０４−２に供給される。ただし、エンコーダ１０３−４で処理されるコンポーネントＣ４のデータと、エンコーダ１０３−５で処理されるコンポーネントＣ５のデータと、NRT処理部１０３−６で処理されるコンポーネントＣ６のデータは、ターゲット符号量に応じたセグメント単位で処理される。
【００４８】
すなわち、スケジューラ１０１は、エンコーダ１０３−１乃至NRT処理部１０３−６で行われるターゲット符号量に応じたセグメント単位の処理として、セグメントＳごとのセグメント長Ｔ及び帯域Ｗの少なくとも一方を可変制御することにより、セグメントＳ内の符号量を動的に変化させている。
【００４９】
マルチプレクサ１０４−１は、エンコーダ１０３−１から供給されるコンポーネントＣ１のデータと、エンコーダ１０３−２から供給されるコンポーネントＣ２のデータと、エンコーダ１０３−３から供給されるコンポーネントＣ３のデータとを多重化し、それにより得られる多重化ストリームを、PLP処理部１０５−１に供給する。
【００５０】
マルチプレクサ１０４−２は、エンコーダ１０３−４から供給されるコンポーネントＣ４のデータと、エンコーダ１０３−５から供給されるコンポーネントＣ５のデータと、NRT処理部１０３−６から供給されるコンポーネントＣ６のデータとを多重化し、それにより得られる多重化ストリームを、PLP処理部１０５−２に供給する。
【００５１】
また、スケジューラ１０１は、コンポーネントＣ１乃至コンポーネントＣ６のセル数に基づいて、PLP#1のセル数と、PLP#2のセル数とを算出する。
【００５２】
ここで、物理層情報に含まれるトータルセル数は、物理層フレームにおける全体のセル数を表しているが、物理層フレーム全体のセル数（Ｎtotal）は、下記の式（１）に示すように、各PLPのセル数の総和と等しくなる。
【００５３】
【数１】
2017047424.tif 000003
【００５４】
なお、式（１）において、左辺のＮtotalは、物理層フレーム全体のセル数を表す。また、右辺のＮiは、各PLPのセル数を表し、iは、PLPの番号を表している。
【００５５】
そして、図２の構成では、物理層フレーム全体のセル数（Ｎtotal）は、PLP#1のセル数と、PLP#2のセル数との和と等しくなるため、例えば、物理層フレームの全体のセル数を、コンポーネントＣ１乃至コンポーネントＣ６のセル数に応じて、PLP#1とPLP#2とに割り当てることで、PLP#1のセル数と、PLP#2のセル数とが算出される。
【００５６】
このようにして算出されたPLPごとのセル数のうち、PLP#1のセル数は、PLP処理部１０５−１に供給され、PLP#2のセル数は、PLP処理部１０５−２に供給される。
【００５７】
PLP処理部１０５−１は、スケジューラ１０１から供給されるPLP#1のセル数に基づいて、マルチプレクサ１０４−１から供給される多重化ストリームを処理し、PLP#1の帯域制御を行う。これにより、PLP#1のセル数に応じた伝送データが、物理層処理部１０６に供給される。
【００５８】
PLP処理部１０５−２は、スケジューラ１０１から供給されるPLP#2のセル数に基づいて、マルチプレクサ１０４−２から供給される多重化ストリームを処理し、PLP#2の帯域制御を行う。これにより、PLP#2のセル数に応じた伝送データが、物理層処理部１０６に供給される。
【００５９】
物理層処理部１０６は、PLP処理部１０５−１から供給されるPLP#1のセル数に応じた伝送データ、及び、PLP処理部１０５−２から供給されるPLP#2のセル数に応じた伝送データに基づいて、物理層フレーム（PHY Frame）を生成する。ただし、この物理層フレーム全体のセル数は、PLP#1のセル数とPLP#2のセル数との和と一致している。なお、物理層フレームは、ブートストラップ（BS：Bootstrap）と、プリアンブル（Preamble）と、ペイロード（Payload）から構成されるが、当該ペイロードに、PLP#1とPLP#2の伝送データが配置される。
【００６０】
物理層処理部１０６により生成された物理層フレームは、送信部１０７に供給される。
【００６１】
送信部１０７は、物理層処理部１０６から供給される物理層フレームのIFFT(Inverse Fast Fourier Transform)を行い、その結果得られるOFDM(Orthogonal Frequency Division Multiplexing)信号を、D/A変換（Digital to Analog Conversion）する。そして、送信部１０７は、デジタル信号からアナログ信号に変換されたOFDM信号を、RF(Radio Frequency)信号に変調し、IP伝送方式のデジタル放送信号として、アンテナ１２１を介して送信する。
【００６２】
送信装置１０は、以上のように構成される。なお、図２においては、説明の都合上、送信側の装置が、送信装置１０、すなわち、１つの装置で構成される場合を示しているが、図２のブロックの各機能を有する複数の装置からなる送信システムとして構成されるようにしてもよい。
【００６３】
また、図２の送信装置１０では、PLP#1とPLP#2の２つのPLPに対応した構成を示したが、１つの周波数帯域（例えば、6MHzの周波数帯域）が、３以上のPLPで構成されるようにする場合には、PLPの数に応じた系列処理部を設けるようにすればよい。
【００６４】
（受信装置の構成例）
図３は、図１の受信装置２０の構成例を示す図である。
【００６５】
図３において、受信装置２０は、受信部２０１、復調処理部２０２、デマルチプレクサ２０３、デコーダ２０４、及び、出力部２０５から構成される。
【００６６】
受信部２０１は、送信装置１０から伝送路３０を介して送信されてくるIP伝送方式のデジタル放送信号を、アンテナ２２１を介して受信して、RF信号を、IF(Intermediate Frequency)信号に周波数変換し、復調処理部２０２に供給する。
【００６７】
復調処理部２０２は、受信部２０１から供給される信号に対する復調処理（例えばOFDM復調など）を行う。また、復調処理部２０２は、復調処理で得られる復調信号に対して、誤り訂正処理を施し、その処理の結果得られる多重化ストリームを、デマルチプレクサ２０３に供給する。
【００６８】
デマルチプレクサ２０３は、復調処理部２０２から供給される多重化ストリームを、コンポーネント（ビデオやオーディオ、字幕）のデータに分離し、デコーダ２０４に供給する。
【００６９】
デコーダ２０４は、デマルチプレクサ２０３から供給されるコンポーネントのデータを、所定の復号方式に従い、デコードし、出力部２０５に供給する。
【００７０】
出力部２０５は、例えば、表示部やスピーカなどから構成される。表示部は、デコーダ２０４から供給されるビデオデータに応じた映像を表示する。また、スピーカは、デコーダ２０４から供給されるオーディオデータに応じた音声を出力する。なお、出力部２０５は、デコーダ２０４から供給されるビデオやオーディオのデータを、外部の機器に出力するようにしてもよい。
【００７１】
受信装置２０は、以上のように構成される。なお、受信装置２０は、テレビ受像機、セットトップボックス（STB：Set Top Box）、又は、録画機などの固定受信機のほか、携帯電話機、スマートフォン、又はタブレット端末などのモバイル受信機であってもよい。また、受信装置２０は、車両に搭載される車載機器でもよい。
【００７２】
＜２．本技術を適用したPLPの帯域制御の概要＞
【００７３】
（PLPの帯域制御の概要）
図４は、送信装置１０における、PLPの帯域制御の概要を説明する図である。
【００７４】
図４においては、図中の上側から下側に向かう方向が時間の方向とされ、PLPの帯域制御を行うことで、物理層フレーム（PHY Frame）に配置されるPLP#1とPLP#2の帯域が変化していることが表されている。
【００７５】
なお、図４において、物理層フレームは、ブートストラップ（BS）と、プリアンブル（Preamble）と、ペイロード（Payload）から構成され、ペイロードに、PLP#1とPLP#2の伝送データが配置されている。また、物理層フレームのサイズは決まっており、物理層フレーム全体のセル数が一定となるので、PLPの帯域制御を行うことで、PLP#1とPLP#2の合計のセル数は変化しないが、PLP#1のセル数と、PLP#2のセル数の割合が変化することになる。すなわち、PLP#1とPLP#2では、セル数の割合に応じてビットレートが変化することになる。
【００７６】
すなわち、時刻t1において、物理層フレームでは、PLP#1のセル数と、PLP#2のセル数と、ほぼ同一となっている。その後、時刻t1から時刻t2になると、物理層フレームでは、PLP#2のセル数が増加する一方で、その増加分だけPLP#1のセル数が減少している。また、時刻t2から時刻t3になると、その逆に、PLP#1のセル数が増加する一方で、その増加分だけPLP#2のセル数が減少している。
【００７７】
その後、時刻t4乃至時刻t7においても同様に、物理層フレームにおいて、PLP#1のセル数が増加すれば、それに応じてPLP#2のセル数が減少する一方で、PLP#2のセル数が増加すれば、それに応じてPLP#1のセル数が減少することになる。
【００７８】
このように、物理層フレームの全体のセル数が一定となることを前提に、PLP#1のセル数とPLP#2のセル数を変化させることで、PLPの帯域制御が行われることになる。
【００７９】
なお、実際には、図５に示すように、物理層フレームは、ブートストラップ（BS：Bootstrap）とプリアンブル（Preamble）と、１以上のサブフレーム（Subframe）から構成されており、このサブフレームに、１又は複数のPLP（例えばPLP#1とPLP#2）のデータが配置されることになる。
【００８０】
ここで、サブフレームごとに変更可能なパラメータとしては、例えば、FFTサイズ（L1D_fft_size）、ガードインターバル長（L1D_guard_interval）、又は、パイロットパターン（L1D_scattered_pilot_pattern）など、図６に示すようなパラメータがある。また、PLPごとに変更可能なパラメータとしては、符号長（L1D_plp_fec_type）、変調方式（L1D_plp_mod）、又は、符号化率（L1D_plp_cod）など、図７に示すようなパラメータがある。
【００８１】
（セグメントの構造）
図８は、セグメントＳの構造を示す図である。
【００８２】
セグメントＳは、セグメント長Ｔと帯域Ｗにより定まる制御単位である。このセグメントＳ内では、一定のビットレートとされ、セグメント単位で符号量が変化することになる。
【００８３】
ここで、各セグメントＳは、RAP(Random Access Point)から開始される。RAPは、例えば、GOP(Group of Picture)におけるＩフレームなど、該当フレームのみで完全な１枚の画像を得ることができるフレームの位置を示している。
【００８４】
また、シーンチェンジが発生した場合には、Ｉフレームが挿入されるので、発生符号量が大きいＩフレームがセグメントＳ内に２つ存在することになり、帯域が一定であれば、各Ｉフレームに1/2の発生符号量しか割り当てることができないため、画質が劣化することなる。ただし、シーンチェンジとは、注目している注目フレームと、当該注目フレームと時間的に連続している１つ前のフレームとの間に相関がないときに発生する。
【００８５】
そこで、本技術では、シーンチェンジが発生した場合に、セグメント帯域変更方式、又は、セグメント分割方式によって、セグメントＳを処理することで、シーンチェンジ発生時のＩフレームの挿入に起因する画質の劣化を抑制できるようにする。
【００８６】
具体的には、図９のＡに示すように、セグメント帯域変更方式によるセグメントＳの処理では、シーンチェンジが発生した場合に、セグメントＳの帯域Ｗを、帯域Ｗ'まで広げることで、セグメントＳ内の帯域を（一時的に）増加させるようにする。この場合、ＩフレームやＰフレームが挿入されても、セグメントＳ内の帯域が増加しているため、シーンチェンジ発生時の画質の劣化を抑制することができる。また、シーンチェンジ以外でも事前に予測できない発生符号量の変化が発生する場合は、同様に帯域を増加、又は減少させることができる。
【００８７】
また、図９のＢに示すように、セグメント分割方式によるセグメントＳの処理では、シーンチェンジが発生した場合に、その時点で、対象のセグメントＳを終了して、新たなセグメントＳが開始されるようにする。この場合、対象のセグメントＳで、GOPに対する処理の途中であっても、当該GOPに対する処理を強制的に終了して（セグメント長Ｔ'（Ｔ'＜Ｔ）で終了して）、新たなセグメントＳで、新たなGOPに対する処理を再開することになる。そして、新たなセグメントＳでは、例えば、先頭のＩフレームに対する処理が行われることになる。
【００８８】
このようにして、シーンチェンジ発生時に、あらかじめ定められたセグメント長の途中でも対象のセグメントＳを終了させて、新たなセグメントＳを開始することで（いわば、セグメントＳを分割することで）、例えば、セグメントＳ内に２つのＩフレームが存在することなく、シーンチェンジ発生時の画質の劣化を抑制することができる。また、シーンチェンジ以外でも事前に予測できない発生符号量の増加が発生する場合は、同様に新たなセグメントＳを開始することができる。
【００８９】
以上のように、本技術においては、基本的にセグメント単位での処理が行われるが、例えばシーンチェンジ発生時などの通常のセグメント単位での処理では、対応できない状況（例えば、帯域を増やさなければならない状況）になった場合には、例外的に、セグメント帯域変更方式又はセグメント分割方式などのあらかじめ定められた方式に従い、セグメントＳが処理されるようにしている。
【００９０】
なお、階層符号化技術を採用する場合には、異なるレイヤのコンポーネントを、同一のセグメント長Ｔとすることで、デコードや同期処理が容易になるというメリットがある。
【００９１】
（NRTコンテンツを利用したデータ制御）
図１０は、NRTコンテンツを利用したデータ制御を説明する図である。
【００９２】
ところで、一般的な放送規格に準拠した物理層（PHY）の帯域は、固定ビットレートである。これを実現するためには、テレビ番組等のコンテンツを構成するコンポーネント（ビデオやオーディオ）のデータの発生符号量は、物理層の固定ビットレートを超えない範囲で、それぞれのコンテンツの品質（主に画質）を最適化するように、データのエンコードが制御されている。
【００９３】
このとき、固定ビットレートに対して不足する部分には、Nullパケット（Null Packet）が挿入され、固定ビットレートに調整される。また、物理層でも、例えばヘッダ圧縮技術や可変長ヘッダ技術により、発生符号量が減少されるが、固定ビットレートに対して不足する場合には、Nullパケットが挿入されてしまう。
【００９４】
この様子を、図１０のＡに示している。図１０のＡの波形Ｌは、横軸である時間tの経過に対する、縦軸である一般的な放送規格に準拠したデジタル放送の発生符号量の関係を示しており、波形Ｌ以下の範囲Ｚ0の面積が発生符号量の合計となる。すなわち、発生符号量は、波形Ｌで示されるように、物理層の固定ビットレートとなる発生符号量Ｓxを最大値として変化する。
【００９５】
しかしながら、物理層においては、固定ビットレートで伝送させる必要があるため、波形Ｌの最大値となる発生符号量Ｓxとなるタイミングを除いたタイミングについては、符号量が不足する状態となるため、Nullパケットが挿入される。すなわち、図１０のＡに示すように、最大値である発生符号量Ｓx以外のタイミングにおいては、波形Ｌ以上であって、発生符号量Ｓxの最大値より小さい範囲Ｚ1が、無効なデータであるNullパケットの符号量となる。
【００９６】
一方で、ATSC3.0では、限られた帯域を有効利用することが求められ、無効なデータであるNullパケットは、伝送効率を下げる原因にもなることから、使用しないことが望ましい。そこで、コンポーネントＣ等のリアルタイム（RT：Real Time）のデータとともに、非リアルタイム（NRT：Non Real Time）のNRTコンテンツのデータを伝送することで、伝送効率を向上させることができる。
【００９７】
すなわち、図１０のＢに示すように、最大値である発生符号量Ｓx以外のタイミングにおいて、波形Ｌから発生符号量Ｓxの最大値までの範囲における範囲Ｚ12が、Nullパケットに代えて、NRTコンテンツのデータの符号量とされる。
【００９８】
ただし、Nullパケットとされる符号量に対して、完全に対応するNRTコンテンツのデータを含ませることができない場合があるので、範囲Ｚ12の上側の範囲Ｚ11が、低減されたNullパケットの符号量とされる。このように、範囲Ｚ0，範囲Ｚ12が有効な伝送パケットとなる。結果として、固定ビットレートの最大値である発生符号量Ｓxのほぼ全範囲を使い切ることが可能となるため、伝送効率を向上させることが可能となる。
【００９９】
また、本技術では、NRTコンテンツ（コンポーネントＣ６）が、非リアルタイムのデータであることに注目して、NRTコンテンツ（コンポーネントＣ６）のデータの帯域を自由に変動させるようにする。すなわち、リアルタイムのデータである他のコンポーネント（コンポーネントＣ１乃至Ｃ５）のデータの発生符号量に応じて、NRTコンテンツ（コンポーネントＣ６）の帯域を制御して、他のコンポーネント（コンポーネントＣ１乃至Ｃ５）の帯域を優先的に確保する。
【０１００】
このように、NRTコンテンツ（コンポーネントＣ６）の帯域を、いわばマージンとして利用することで、リアルタイムでの帯域制御をより容易に行うことができる。なお、NRTコンテンツ（コンポーネントＣ６）は非リアルタイムのデータであることから、例えば、その帯域を一時的に０（ゼロ）としても、問題が生じることはない。
【０１０１】
なお、本出願の発明者は、Nullパケットに代えて、NRTコンテンツのデータを伝送する方法について、特願２０１４−１２７０６４号で既に提案している。
【０１０２】
＜３．帯域制御の具体例＞
【０１０３】
（帯域制御方式の一覧）
図１１は、本技術の帯域制御方式の一覧を示す図である。
【０１０４】
本技術の帯域制御方式は、各コンポーネントにおけるセグメントＳの帯域Ｗ及びセグメント長Ｔと、セグメント切り替え時刻と、シーンチェンジ発生時の対応との組み合わせによって定められる。
【０１０５】
ここで、セグメントＳの帯域Ｗの種別としては、各コンポーネントのセグメントＳの帯域Ｗの幅が一定となることを表す「一定」、及び、各コンポーネントのセグメントＳの帯域Ｗの幅が時間ごとに変化することを表す「可変」の２種類がある。
【０１０６】
また、セグメント長Ｔの種別としては、各コンポーネントのセグメントＳのセグメント長Ｔが一定となることを表す「一定」、及び、各コンポーネントのセグメントＳのセグメント長Ｔが一定又は時間ごとに変化することを表す「一定／可変」の２種類がある。
【０１０７】
また、セグメント切り替え時刻の種別としては、各コンポーネントのセグメントＳの切り替え時刻が同一の時刻であることを表す「同時」、及び、各コンポーネントのセグメントＳの切り替え時刻が異なっていることを表す「個別」の２種類がある。ただし、セグメント長Ｔが「一定」の場合には、セグメント切り替え時刻は、「同時」となる一方で、セグメント長Ｔが「一定／可変」の場合には、セグメント切り替え時刻は、「個別」となり、セグメント長Ｔの種別と、セグメント切り替え時刻の種別には相関がある。
【０１０８】
また、シーンチェンジ発生時の対応の種別としては、各コンポーネントのシーンチェンジ発生時の対応がセグメント帯域変更方式（図９のＡ）であることを表す「セグメント帯域変更方式」、及び、各コンポーネントのシーンチェンジ発生時の対応がセグメント分割方式（図９のＢ）であることを表す「セグメント分割方式」の２種類がある。なお、図１１の表では、シーンチェンジ発生時の対応が特に定められていない場合には、「−」が記述されている。
【０１０９】
図１１の表では、これらの種別の組み合わせに応じて、８つの帯域制御方式が定められている。
【０１１０】
帯域制御方式１では、帯域Ｗが「一定」、セグメント長Ｔが「一定」、及び、セグメント切り替え時刻が「同時」となるように制御が行われる。
【０１１１】
帯域制御方式２と帯域制御方式２Ｂとでは、帯域Ｗが「一定」、セグメント長Ｔが「一定／可変」、及び、セグメント切り替え時刻が「個別」となるように制御が行われる点で共通している。一方で、帯域制御方式２Ｂでのみ、シーンチェンジ発生時の対応が「セグメント分割方式」となるように制御が行われる点が異なっている。
【０１１２】
帯域制御方式３と、帯域制御方式３Ａとでは、帯域Ｗが「可変」、セグメント長Ｔが「一定」、及び、セグメント切り替え時刻が「同時」となるように制御が行われる点で共通している。一方で、帯域制御方式３Ａでのみ、シーンチェンジ発生時の対応が「セグメント帯域変更方式」となるように制御が行われる点が、異なっている。
【０１１３】
帯域制御方式４と、帯域制御方式４Ａと、帯域制御方式４Ｂとでは、帯域Ｗが「可変」、セグメント長Ｔが「一定／可変」、及び、セグメント切り替え時刻が「個別」となるように制御が行われる点で共通している。一方で、帯域制御方式４Ａでは、シーンチェンジ発生時の対応が「セグメント帯域変更方式」で制御が行われ、帯域制御方式４Ｂでは、シーンチェンジ発生時の対応が「セグメント分割方式」で制御が行われる点が異なっている。
【０１１４】
以下、図１１の表に示した各帯域制御方式の具体例について、順に説明する。
【０１１５】
（１）帯域制御方式１
【０１１６】
図１２は、帯域制御方式１を採用した場合の帯域制御を説明する図である。
【０１１７】
図１２においては、横軸は、時間ｔを表し、図中の左側から右側に向かう方向が時間の方向とされる。また、縦軸は、セル数（No of Cells）を表し、図中の上側に向かうほど、セル数が多くなることを意味している。すなわち、図１２における時間軸と、セル数との関係を、物理層フレームで表せば、図１３のように表すことができる。
【０１１８】
図１２の説明に戻り、コンポーネントＣ１乃至コンポーネントＣ６は、図２のエンコーダ１０３−１乃至NRT処理部１０３−６で処理されるコンポーネントＣ１乃至コンポーネントＣ６に対応している。
【０１１９】
すなわち、コンポーネントＣ１は、エンコーダ１０３−１（図２）により処理されるコンポーネントを表し、このコンポーネントＣ１のセグメントＳとして、セグメントＳ１１，セグメントＳ１２，セグメントＳ１３，・・・，セグメントＳ１ｔ（ｔは１以上の整数）が順に処理される。
【０１２０】
同様に、コンポーネントＣ２乃至コンポーネントＣ５は、エンコーダ１０３−２乃至エンコーダ１０３−５（図２）により処理されるコンポーネントを表している。そして、コンポーネントＣ２のセグメントＳとして、セグメントＳ２１，・・・，Ｓ２ｔ（ｔは１以上の整数）が順に処理され、コンポーネントＣ３のセグメントＳとして、セグメントＳ３１，・・・，セグメントＳ３ｔ（ｔは１以上の整数）が順に処理される。また、コンポーネントＣ４のセグメントＳとして、セグメントＳ４１，・・・，Ｓ４ｔ（ｔは１以上の整数）が順に処理され、コンポーネントＣ５のセグメントＳとして、セグメントＳ５１，・・・，Ｓ５ｔ（ｔは１以上の整数）が順に処理される。
【０１２１】
また、コンポーネントＣ６は、NRT処理部１０３−６（図２）により処理されるNRTコンテンツであることを表し、このコンポーネントＣ６（NRTコンテンツ）のセグメントＳとして、セグメントＳ６１，・・・，Ｓ６ｔ（ｔは１以上の整数）が順に処理される。
【０１２２】
なお、以下の説明では、コンポーネントＣ１乃至Ｃ６を、特に区別する必要がない場合、コンポーネントＣと称する。また、セグメントＳ１１乃至Ｓ１ｔ，セグメントＳ２１乃至Ｓ２ｔ，セグメントＳ３１乃至Ｓ３ｔ，セグメントＳ４１乃至Ｓ４ｔ，セグメントＳ５１乃至Ｓ５ｔ，及び、セグメントＳ６１乃至Ｓ６ｔを、特に区別する必要がない場合、セグメントＳと称する。また、これらの関係は、後述する図１４乃至図２０でも同様とされる。
【０１２３】
ここで、図１２の帯域制御方式１では、スケジューラ１０１（図２）によって、セグメントＳの帯域Ｗとセグメント長Ｔが「一定」で、かつ、セグメント切り替え時刻が「同時」となるように制御が行われる。すなわち、帯域制御方式１では、各セグメントＳの帯域Ｗと、セグメント長Ｔが「一定」となるので、コンポーネントＣごとに、帯域Ｗとセグメント長Ｔにより定まる各セグメントＳの領域（図中の各コンポーネントのセグメントごとに異なる模様の領域）では、縦軸方向の幅と横軸方向の幅が一致している。
【０１２４】
また、帯域制御方式１では、セグメント切り替え時刻が「同時」となるので、各コンポーネントＣにおけるセグメントＳの切り替え時刻は、一定の期間ごとに繰り返される。
【０１２５】
例えば、コンポーネントＣ１の各セグメントＳに注目すれば、時刻t1において、時刻t0から開始されるセグメントＳ１１がセグメントＳ１２に切り替わり、時刻t2において、時刻t1から開始されるセグメントＳ１２がセグメントＳ１３に切り替わり、時刻t3において、時刻t2から開始されるセグメントＳ１３がセグメントＳ１４に切り替えられる。また、このとき、コンポーネントＣ１における各セグメントＳの帯域は一定である。
【０１２６】
ただし、図１２において、時刻t0から時刻t1までの期間と、時刻t1から時刻t2までの期間と、時刻t2から時刻t3までの期間とは、同一の期間とされる。なお、図１２には、説明の都合上、時刻t0乃至時刻t3の期間を図示しているが、以降の期間においても、一定の期間ごとに、コンポーネントＣ１における時間的に連続した前後のセグメント（例えば、セグメントＳ１４とセグメントＳ１５）が順に切り替えられる。
【０１２７】
同様に、コンポーネントＣ２の各セグメントＳに注目すれば、一定の期間ごとの各時刻t（例えば、時刻t1や時刻t2等）において、時間的に連続した前後のセグメントＳ（例えば、セグメントＳ２１とセグメントＳ２２，セグメントＳ２２とセグメントＳ２３等）が、順に切り替えられている。また、このとき、コンポーネントＣ２における各セグメントＳの帯域は一定である。
【０１２８】
同様に、コンポーネントＣ３の各セグメントＳに注目すれば、一定の期間ごとの各時刻t（例えば、時刻t1や時刻t2等）において、時間的に連続した前後のセグメントＳ（例えば、セグメントＳ３１とセグメントＳ３２，セグメントＳ３２とセグメントＳ３３等）が、順に切り替えられている。また、このとき、コンポーネントＣ３における各セグメントＳの帯域は一定である。
【０１２９】
そして、エンコーダ１０３−１乃至エンコーダ１０３−３で処理されるコンポーネントＣ１乃至コンポーネントＣ３における各セグメントＳが、マルチプレクサ１０４−１により多重化され、それにより得られる多重化ストリームが、PLP処理部１０５−１により、PLP#1として処理されることになる。
【０１３０】
また、コンポーネントＣ４の各セグメントＳに注目すれば、一定の期間ごとの各時刻t（例えば、時刻t1や時刻t2等）において、時間的に連続した前後のセグメントＳ（例えば、セグメントＳ４１とセグメントＳ４２，セグメントＳ４２とセグメントＳ４３等）が、順に切り替えられている。また、このとき、コンポーネントＣ４における各セグメントＳの帯域は一定である。
【０１３１】
同様に、コンポーネントＣ５の各セグメントＳに注目すれば、一定の期間ごとの各時刻t（例えば、時刻t1や時刻t2等）において、時間的に連続した前後のセグメントＳ（例えば、セグメントＳ５１とセグメントＳ５２，セグメントＳ５２とセグメントＳ５３等）が、順に切り替えられている。また、このとき、コンポーネントＣ５における各セグメントＳの帯域は一定である。
【０１３２】
同様に、コンポーネントＣ６（NRTコンテンツ）の各セグメントに注目すれば、一定の期間ごとの各時刻t（例えば、時刻t1や時刻t2等）において、時間的に連続した前後のセグメントＳ（例えば、セグメントＳ６１とセグメントＳ６２，セグメントＳ６２とセグメントＳ６３等）が、順に切り替えられている。また、このとき、コンポーネントＣ６における各セグメントＳの帯域は一定である。
【０１３３】
そして、エンコーダ１０３−４乃至NRT処理部１０３−６で処理されるコンポーネントＣ４乃至コンポーネントＣ６における各セグメントＳが、マルチプレクサ１０４−２により多重化され、それにより得られる多重化ストリームが、PLP処理部１０５−２により、PLP#2として処理されることになる。
【０１３４】
このように、図１２の帯域制御方式１では、各コンポーネントＣにおける時間的に連続するセグメントＳの切り替えが同時に、一定の期間ごとの各時刻t（例えば、時刻t1や時刻t2等）に行われる。
【０１３５】
具体的には、例えば、時刻t1において、コンポーネントＣ１のセグメントＳ１１とセグメントＳ１２，コンポーネントＣ２のセグメントＳ２１とセグメントＳ２２，コンポーネントＣ３のセグメントＳ３１とセグメントＳ３２，コンポーネントＣ４のセグメントＳ４１とセグメントＳ４２，コンポーネントＣ５のセグメントＳ５１とセグメントＳ５２，及び、コンポーネントＣ６のセグメントＳ６１とセグメントＳ６２が同時に切り替えられている。
【０１３６】
また、例えば、時刻t2において、コンポーネントＣ１のセグメントＳ１２とセグメントＳ１３，コンポーネントＣ２のセグメントＳ２２とセグメントＳ２３，コンポーネントＣ３のセグメントＳ３２とセグメントＳ３３，コンポーネントＣ４のセグメントＳ４２とセグメントＳ４３，コンポーネントＣ５のセグメントＳ５２とセグメントＳ５３，及び、コンポーネントＣ６のセグメントＳ６２とセグメントＳ６３が同時に切り替えられている。
【０１３７】
以上、帯域制御方式１を採用した場合の帯域制御について説明した。
【０１３８】
（２）帯域制御方式２
【０１３９】
図１４は、帯域制御方式２を採用した場合の帯域制御を説明する図である。
【０１４０】
図１４の帯域制御方式２では、スケジューラ１０１（図２）によって、帯域Ｗが「一定」、セグメント長Ｔが「一定／可変」で、かつ、セグメント切り替え時刻が「個別」となるように制御が行われる。すなわち、帯域制御方式２では、各セグメントＳの帯域Ｗが「一定」となるが、セグメント長Ｔが「一定／可変」となるので、コンポーネントＣごとに、帯域Ｗとセグメント長Ｔにより定まる各セグメントＳの領域（図中の各コンポーネントのセグメントごとに異なる模様の領域）では、縦軸方向の幅は一致しているが、横軸方向の幅は異なっている。
【０１４１】
また、帯域制御方式２では、セグメント切り替え時刻が「個別」となるので、各コンポーネントＣにおけるセグメントＳの切り替え時刻は、一定の期間とはならない。
【０１４２】
例えば、コンポーネントＣ１の各セグメントＳに注目すれば、可変の期間ごとの各時刻t（例えば、時刻t1や時刻t2等）において、時間的に連続した前後のセグメントＳ（例えば、セグメントＳ１１とセグメントＳ１２，セグメントＳ１２とセグメントＳ１３等）が、順に切り替えられている。また、このとき、コンポーネントＣ１における各セグメントＳの帯域は一定である。
【０１４３】
同様に、コンポーネントＣ２の各セグメントＳに注目すれば、可変の期間ごとの各時刻t（例えば、時刻t1や時刻t2とは異なる時刻）において、時間的に連続した前後のセグメントＳ（例えば、セグメントＳ２１とセグメントＳ２２，セグメントＳ２２とセグメントＳ２３，セグメントＳ２３とセグメントＳ２４等）が、順に切り替えられている。また、このとき、コンポーネントＣ２における各セグメントＳの帯域は一定である。
【０１４４】
同様に、コンポーネントＣ３の各セグメントＳに注目すれば、可変の期間ごとの各時刻t（例えば、時刻t1や時刻t2とは異なる時刻）において、時間的に連続した前後のセグメントＳ（例えば、セグメントＳ３１とセグメントＳ３２，セグメントＳ３２とセグメントＳ３３，セグメントＳ３３とセグメントＳ３４等）が、順に切り替えられている。また、このとき、コンポーネントＣ３における各セグメントＳの帯域は一定である。
【０１４５】
そして、エンコーダ１０３−１乃至エンコーダ１０３−３で処理されるコンポーネントＣ１乃至コンポーネントＣ３における各セグメントＳが、マルチプレクサ１０４−１により多重化され、それにより得られる多重化ストリームが、PLP処理部１０５−１により、PLP#1として処理されることになる。
【０１４６】
また、コンポーネントＣ４の各セグメントＳに注目すれば、可変の期間ごとの各時刻t（例えば、時刻t1や時刻t2とは異なる時刻）において、時間的に連続した前後のセグメントＳ（例えば、セグメントＳ４１とセグメントＳ４２，セグメントＳ４２とセグメントＳ４３等）が、順に切り替えられている。また、このとき、コンポーネントＣ４における各セグメントＳの帯域は一定である。
【０１４７】
同様に、コンポーネントＣ５の各セグメントＳに注目すれば、可変の期間ごとの各時刻t（例えば、時刻t1や時刻t2とは異なる時刻）において、時間的に連続した前後のセグメントＳ（例えば、セグメントＳ５１とセグメントＳ５２，セグメントＳ５２とセグメントＳ５３等）が、順に切り替えられている。また、このとき、コンポーネントＣ５における各セグメントＳの帯域は一定である。
【０１４８】
同様に、コンポーネントＣ６（NRTコンテンツ）の各セグメントに注目すれば、可変の期間ごとの各時刻t（例えば、時刻t1や時刻t2とは異なる時刻）において、時間的に連続した前後のセグメントＳ（例えば、セグメントＳ６１とセグメントＳ６２，セグメントＳ６２とセグメントＳ６３等）が、順に切り替えられている。また、このとき、コンポーネントＣ６における各セグメントＳの帯域は一定である。
【０１４９】
そして、エンコーダ１０３−４乃至NRT処理部１０３−６で処理されるコンポーネントＣ４乃至コンポーネントＣ６における各セグメントＳが、マルチプレクサ１０４−２により多重化され、それにより得られる多重化ストリームが、PLP処理部１０５−２により、PLP#2として処理されることになる。
【０１５０】
このように、図１４の帯域制御方式２では、各コンポーネントＣにおける時間的に連続するセグメントＳの切り替えが同時には行われず、可変の期間ごとの各時刻t（例えば、時刻t1や時刻t2等）に行われる。
【０１５１】
具体的には、例えば、時刻t1において、コンポーネントＣ１のセグメントＳ１１とセグメントＳ１２が切り替えられているが、このとき、コンポーネントＣ２乃至コンポーネントＣ６では、セグメントＳの切り替えは行われていない。また、例えば、時刻t2において、コンポーネントＣ１のセグメントＳ１２とセグメントＳ１３が切り替えられているが、このとき、コンポーネントＣ２乃至コンポーネントＣ６では、セグメントＳの切り替えは行われていない。
【０１５２】
なお、繰り返しになるので全てについては説明しないが、コンポーネントＣ２乃至コンポーネントＣ６においても同様に、自身のセグメントＳの切り替え時に、そのタイミングでは、他のコンポーネントＣにおける他のセグメントＳの切り替えは行われていない。
【０１５３】
以上、帯域制御方式２を採用した場合の帯域制御について説明した。
【０１５４】
（３）帯域制御方式２Ｂ
【０１５５】
図１５は、帯域制御方式２Ｂを採用した場合の帯域制御を説明する図である。
【０１５６】
図１５の帯域制御方式２Ｂでは、スケジューラ１０１（図２）によって、帯域Ｗが「一定」、セグメント長Ｔが「一定／可変」で、かつ、セグメント切り替え時刻が「個別」となるように制御が行われる点で、帯域制御方式２（図１４）と共通している。一方で、帯域制御方式２Ｂでは、シーンチェンジ発生時に、セグメント分割方式を用いた処理が行われる点が、帯域制御方式２（図１４）とは異なっており、以下、この点を中心に説明する。
【０１５７】
すなわち、帯域制御方式２Ｂでは、各セグメントＳの帯域Ｗが「一定」となるが、セグメント長Ｔが「一定／可変」となるので、コンポーネントＣごとに、帯域Ｗとセグメント長Ｔにより定まる各セグメントＳの領域（図中の各コンポーネントのセグメントごとに異なる模様の領域）では、縦軸方向の幅は一致しているが、横軸方向の幅は異なっている。また、帯域制御方式２Ｂでは、セグメント切り替え時刻が「個別」となるので、各コンポーネントＣにおけるセグメントＳの切り替え時刻は、一定の期間とはならない。
【０１５８】
ここで、コンポーネントＣ１の各セグメントＳに注目すれば、セグメントＳ１２の処理中である時刻t2にシーンチェンジが発生した場合、セグメント分割方式に従い、その時点で、あらかじめ定められたセグメント長の途中でもセグメントＳ１２を強制的に終了し、新たなセグメントＳ１３の処理が開始されるようにする。これにより、例えば、セグメントＳ内に２つのＩフレームが存在することなく、シーンチェンジ発生時の画質の劣化を抑制することができる。
【０１５９】
以上、帯域制御方式２Ｂを採用した場合の帯域制御について説明した。
【０１６０】
（４）帯域制御方式３
【０１６１】
図１６は、帯域制御方式３を採用した場合の帯域制御を説明する図である。
【０１６２】
図１６の帯域制御方式３では、スケジューラ１０１（図２）によって、帯域Ｗが「可変」、セグメント長Ｔが「一定」で、かつ、セグメント切り替え時刻が「同時」となるように制御が行われる。すなわち、帯域制御方式３では、各セグメントＳのセグメント長Ｔが「一定」となるが、帯域Ｗが「可変」となるので、コンポーネントＣごとに、帯域Ｗとセグメント長Ｔにより定まる各セグメントＳの領域（図中の各コンポーネントのセグメントごとに異なる模様の領域）では、横方向の幅は一致しているが、縦方向の幅は異なっている。
【０１６３】
また、帯域制御方式３では、セグメント切り替え時刻が「同時」となるので、各コンポーネントＣにおけるセグメントＳの切り替え時刻は、一定の期間ごとに繰り返される。
【０１６４】
例えば、コンポーネントＣ１の各セグメントＳに注目すれば、一定の期間ごとの各時刻t（例えば、時刻t1や時刻t2等）において、時間的に連続した前後のセグメントＳ（例えば、セグメントＳ１１とセグメントＳ１２，セグメントＳ１２とセグメントＳ１３等）が、順に切り替えられている。また、このとき、コンポーネントＣ１における各セグメントＳの帯域は可変であって、セグメントＳごとに変動している。
【０１６５】
同様に、コンポーネントＣ２の各セグメントＳに注目すれば、一定の期間ごとの各時刻t（例えば、時刻t1や時刻t2等）において、時間的に連続した前後のセグメントＳ（例えば、セグメントＳ２１とセグメントＳ２２，セグメントＳ２２とセグメントＳ２３等）が、順に切り替えられている。また、このとき、コンポーネントＣ２における各セグメントＳの帯域は可変であって、セグメントＳごとに変動している。
【０１６６】
同様に、コンポーネントＣ３の各セグメントＳに注目すれば、一定の期間ごとの各時刻t（例えば、時刻t1や時刻t2等）において、時間的に連続した前後のセグメントＳ（例えば、セグメントＳ３１とセグメントＳ３２，セグメントＳ３２とセグメントＳ３３等）が、順に切り替えられている。また、このとき、コンポーネントＣ３における各セグメントＳの帯域は可変であって、セグメントＳごとに変動している。
【０１６７】
そして、エンコーダ１０３−１乃至エンコーダ１０３−３で処理されるコンポーネントＣ１乃至コンポーネントＣ３における各セグメントＳが、マルチプレクサ１０４−１により多重化され、それにより得られる多重化ストリームが、PLP処理部１０５−１により、PLP#1として処理されることになる。
【０１６８】
また、コンポーネントＣ４の各セグメントＳに注目すれば、一定の期間ごとの各時刻t（例えば、時刻t1や時刻t2等）において、時間的に連続した前後のセグメントＳ（例えば、セグメントＳ４１とセグメントＳ４２，セグメントＳ４２とセグメントＳ４３等）が、順に切り替えられている。また、このとき、コンポーネントＣ４における各セグメントＳの帯域は可変であって、セグメントＳごとに変動している。
【０１６９】
同様に、コンポーネントＣ５の各セグメントＳに注目すれば、一定の期間ごとの各時刻t（例えば、時刻t1や時刻t2等）において、時間的に連続した前後のセグメントＳ（例えば、セグメントＳ５１とセグメントＳ５２，セグメントＳ５２とセグメントＳ５３等）が、順に切り替えられている。また、このとき、コンポーネントＣ５における各セグメントＳの帯域は可変であって、セグメントＳごとに変動している。
【０１７０】
同様に、コンポーネントＣ６（NRTコンテンツ）の各セグメントに注目すれば、一定の期間ごとの各時刻t（例えば、時刻t1や時刻t2等）において、時間的に連続した前後のセグメントＳ（例えば、セグメントＳ６１とセグメントＳ６２，セグメントＳ６２とセグメントＳ６３等）が、順に切り替えられている。また、このとき、コンポーネントＣ６における各セグメントＳの帯域は可変であって、セグメントＳごとに変動している。
【０１７１】
そして、エンコーダ１０３−４乃至NRT処理部１０３−６で処理されるコンポーネントＣ４乃至コンポーネントＣ６における各セグメントＳが、マルチプレクサ１０４−２により多重化され、それにより得られる多重化ストリームが、PLP処理部１０５−２により、PLP#2として処理されることになる。
【０１７２】
このように、図１６の帯域制御方式３では、各コンポーネントＣにおける時間的に連続するセグメントＳの切り替えが同時に、一定の期間ごとの各時刻t（例えば、時刻t1や時刻t2等）に行われる。
【０１７３】
具体的には、例えば、時刻t1において、コンポーネントＣ１のセグメントＳ１１とセグメントＳ１２，コンポーネントＣ２のセグメントＳ２１とセグメントＳ２２，コンポーネントＣ３のセグメントＳ３１とセグメントＳ３２，コンポーネントＣ４のセグメントＳ４１とセグメントＳ４２，コンポーネントＣ５のセグメントＳ５１とセグメントＳ５２，及び、コンポーネントＣ６のセグメントＳ６１とセグメントＳ６２が同時に切り替えられている。
【０１７４】
また、例えば、時刻t2において、コンポーネントＣ１のセグメントＳ１２とセグメントＳ１３，コンポーネントＣ２のセグメントＳ２２とセグメントＳ２３，コンポーネントＣ３のセグメントＳ３２とセグメントＳ３３，コンポーネントＣ４のセグメントＳ４２とセグメントＳ４３，コンポーネントＣ５のセグメントＳ５２とセグメントＳ５３，及び、コンポーネントＣ６のセグメントＳ６２とセグメントＳ６３が同時に切り替えられている。
【０１７５】
ただし、コンポーネントＣ１乃至コンポーネントＣ６における各セグメントＳの帯域は可変であるため、各コンポーネントＣにおけるセグメントＳごとに変動している。
【０１７６】
以上、帯域制御方式３を採用した場合の帯域制御について説明した。
【０１７７】
（５）帯域制御方式３Ａ
【０１７８】
図１７は、帯域制御方式３Ａを採用した場合の帯域制御を説明する図である。
【０１７９】
図１７の帯域制御方式３Ａでは、スケジューラ１０１（図２）によって、帯域Ｗが「可変」、セグメント長Ｔが「一定」で、かつ、セグメント切り替え時刻が「同時」となるように制御が行われる点で、帯域制御方式３（図１６）と共通している。一方で、帯域制御方式３Ａでは、シーンチェンジ発生時に、セグメント帯域変更方式を用いた処理が行われる点が、帯域制御方式３（図１６）とは異なっており、以下、この点を中心に説明する。
【０１８０】
すなわち、帯域制御方式３Ａでは、各セグメントＳのセグメント長Ｔが「一定」となるが、帯域Ｗが「可変」となるので、コンポーネントＣごとに、帯域Ｗとセグメント長Ｔにより定まる各セグメントＳの領域（図中の各コンポーネントのセグメントごとに異なる模様の領域）では、横方向の幅は一致しているが、縦方向の幅は異なっている。また、帯域制御方式３Ａでは、セグメント切り替え時刻が「同時」となるので、各コンポーネントＣにおけるセグメントＳの切り替え時刻は、一定の期間となる。
【０１８１】
ここで、コンポーネントＣ１の各セグメントＳに注目すれば、時刻t2にシーンチェンジが発生した場合、セグメント帯域変更方式に従い、その時点で、セグメントＳ１２の帯域Ｗを広げることで、セグメントＳ１２内の帯域を（一時的に）増加させるようにする。この場合、例えば、ＩフレームやＰフレームが挿入されても、セグメントＳ内の帯域が増加しているため、シーンチェンジ発生時の画質の劣化を抑制することができる。
【０１８２】
また、この例では、時刻t2において、セグメントＳ１２の帯域Ｗを広げることに連動して、セグメントＳ２２，セグメントＳ３２，セグメントＳ４２，及び、セグメントＳ５２の帯域が上方向にずれているが、NRTコンテンツ（コンポーネントＣ６）の帯域を、いわばマージンとして利用しているため、それらのセグメントＳの帯域を減少させることなく、セグメント１２でのシーンチェンジに対応することができる。
【０１８３】
以上、帯域制御方式３Ａを採用した場合の帯域制御について説明した。
【０１８４】
（６）帯域制御方式４
【０１８５】
図１８は、帯域制御方式４を採用した場合の帯域制御を説明する図である。
【０１８６】
図１８の帯域制御方式４では、スケジューラ１０１（図２）によって、帯域Ｗが「可変」、セグメント長Ｔが「一定／可変」で、かつ、セグメント切り替え時刻が「個別」となるように制御が行われる。すなわち、帯域制御方式４では、各セグメントＳの帯域Ｗが「可変」で、セグメント長Ｔが「一定／可変」となるので、コンポーネントＣごとに、帯域Ｗとセグメント長Ｔにより定まる各セグメントＳの領域（図中の各コンポーネントのセグメントごとに異なる模様の領域）では、縦方向の幅と横方向の幅が、共に一致していない。
【０１８７】
また、帯域制御方式４では、セグメント切り替え時刻が「個別」となるので、各コンポーネントＣにおけるセグメントＳの切り替え時刻は、一定の期間とはならない。
【０１８８】
例えば、コンポーネントＣ１の各セグメントＳに注目すれば、可変の期間ごとの各時刻t（例えば、時刻t1や時刻t2等）において、時間的に連続した前後のセグメントＳ（例えば、セグメントＳ１１とセグメントＳ１２，セグメントＳ１２とセグメントＳ１３等）が、順に切り替えられている。また、このとき、コンポーネントＣ１における各セグメントＳの帯域は可変であって、セグメントＳごとに変動している。
【０１８９】
同様に、コンポーネントＣ２の各セグメントＳに注目すれば、可変の期間ごとの各時刻t（例えば、時刻t1や時刻t2とは異なる時刻）において、時間的に連続した前後のセグメントＳ（例えば、セグメントＳ２１とセグメントＳ２２，セグメントＳ２２とセグメントＳ２３，セグメントＳ２３とセグメントＳ２４等）が、順に切り替えられている。また、このとき、コンポーネントＣ２における各セグメントＳの帯域は可変であって、セグメントＳごとに変動している。
【０１９０】
同様に、コンポーネントＣ３の各セグメントＳに注目すれば、可変の期間ごとの各時刻t（例えば、時刻t1や時刻t2とは異なる時刻）において、時間的に連続した前後のセグメントＳ（例えば、セグメントＳ３１とセグメントＳ３２，セグメントＳ３２とセグメントＳ３３，セグメントＳ３３とセグメントＳ３４等）が、順に切り替えられている。また、このとき、コンポーネントＣ３における各セグメントＳの帯域は可変であって、セグメントＳごとに変動している。
【０１９１】
そして、エンコーダ１０３−１乃至エンコーダ１０３−３で処理されるコンポーネントＣ１乃至コンポーネンＣ３における各セグメントＳが、マルチプレクサ１０４−１により多重化され、それにより得られる多重化ストリームが、PLP処理部１０５−１により、PLP#1として処理されることになる。
【０１９２】
また、コンポーネントＣ４の各セグメントＳに注目すれば、可変の期間ごとの各時刻t（例えば、時刻t1や時刻t2とは異なる時刻）において、時間的に連続した前後のセグメントＳ（例えば、セグメントＳ４１とセグメントＳ４２，セグメントＳ４２とセグメントＳ４３等）が、順に切り替えられている。また、このとき、コンポーネントＣ４における各セグメントＳの帯域は可変であって、セグメントＳごとに変動している。
【０１９３】
同様に、コンポーネントＣ５の各セグメントＳに注目すれば、可変の期間ごとの各時刻t（例えば、時刻t1や時刻t2とは異なる時刻）において、時間的に連続した前後のセグメントＳ（例えば、セグメントＳ５１とセグメントＳ５２，セグメントＳ５２とセグメントＳ５３等）が、順に切り替えられている。また、このとき、コンポーネントＣ５における各セグメントＳの帯域は可変であって、セグメントＳごとに変動している。
【０１９４】
同様に、コンポーネントＣ６（NRTコンテンツ）の各セグメントに注目すれば、可変の期間ごとの各時刻t（例えば、時刻t1や時刻t2とは異なる時刻）において、時間的に連続した前後のセグメントＳ（例えば、セグメントＳ６１とセグメントＳ６２，セグメントＳ６２とセグメントＳ６３等）が、順に切り替えられている。また、このとき、コンポーネントＣ６における各セグメントＳの帯域は可変であって、セグメントＳごとに変動している。
【０１９５】
そして、エンコーダ１０３−４乃至NRT処理部１０３−６で処理されるコンポーネントＣ４乃至コンポーネントＣ６における各セグメントＳが、マルチプレクサ１０４−２により多重化され、それにより得られる多重化ストリームが、PLP処理部１０５−２により、PLP#2として処理されることになる。
【０１９６】
このように、図１８の帯域制御方式４では、各コンポーネントＣにおける時間的に連続するセグメントＳの切り替えが同時には行われず、可変の期間ごとの各時刻t（例えば、時刻t1や時刻t2等）に行われる。
【０１９７】
具体的には、例えば、時刻t1において、コンポーネントＣ１のセグメントＳ１１とセグメントＳ１２が切り替えられているが、このとき、コンポーネントＣ２乃至Ｃ６では、セグメントＳの切り替えは行われていない。また、例えば、時刻t2において、コンポーネントＣ１のセグメントＳ１２とセグメントＳ１３が切り替えられているが、このとき、コンポーネントＣ２乃至Ｃ６では、セグメントＳの切り替えは行われていない。
【０１９８】
なお、繰り返しになるので全てについては説明しないが、コンポーネントＣ２乃至Ｃ６においても同様に、自身のセグメントＳの切り替え時に、そのタイミングでは、他のコンポーネントＣにおける他のセグメントＳの切り替えは行われていない。
【０１９９】
以上、帯域制御方式４を採用した場合の帯域制御について説明した。
【０２００】
（７）帯域制御方式４Ａ
【０２０１】
図１９は、帯域制御方式４Ａを採用した場合の帯域制御を説明する図である。
【０２０２】
図１９の帯域制御方式４Ａでは、スケジューラ１０１（図２）によって、帯域Ｗが「可変」、セグメント長Ｔが「一定／可変」で、かつ、セグメント切り替え時刻が「個別」となるように制御が行われる点で、帯域制御方式４（図１８）と共通している。一方で、帯域制御方式４Ａでは、シーンチェンジ発生時に、セグメント帯域変更方式を用いた処理が行われる点が、帯域制御方式４（図１８）とは異なっており、以下、この点を中心に説明する。
【０２０３】
すなわち、帯域制御方式４Ａでは、各セグメントＳの帯域Ｗが「可変」で、セグメント長Ｔが「一定／可変」となるので、コンポーネントＣごとに、帯域Ｗとセグメント長Ｔにより定まる各セグメントＳの領域（図中の各コンポーネントのセグメントごとに異なる模様の領域）では、縦方向の幅と横方向の幅が、共に一致していない。また、帯域制御方式４Ａでは、セグメント切り替え時刻が「個別」となるので、各コンポーネントＣにおけるセグメントＳの切り替え時刻は、一定の期間とはならない。
【０２０４】
ここで、コンポーネントＣ１の各セグメントＳに注目すれば、時刻t2にシーンチェンジが発生した場合、セグメント帯域変更方式に従い、その時点で、セグメントＳ１２の帯域Ｗを広げることで、セグメントＳ１２内の帯域を（一時的に）増加させるようにする。この場合、例えば、ＩフレームやＰフレームが挿入されても、セグメントＳ内の帯域が増加しているため、シーンチェンジ発生時の画質の劣化を抑制することができる。
【０２０５】
また、この例では、時刻t2において、セグメントＳ１２の帯域Ｗを広げることに連動して、セグメントＳ２３，セグメントＳ３２，セグメントＳ４２，セグメントＳ４３，及び、セグメントＳ５３の帯域が上方向にずれているが、NRTコンテンツ（コンポーネントＣ６）の帯域を、いわばマージンとして利用しているため、それらのセグメントＳの帯域を減少させることなく、セグメント１２でのシーンチェンジに対応することができる。
【０２０６】
以上、帯域制御方式４Ａを採用した場合の帯域制御について説明した。
【０２０７】
（８）帯域制御方式４Ｂ
【０２０８】
図２０は、帯域制御方式４Ｂを採用した場合の帯域制御を説明する図である。
【０２０９】
図２０の帯域制御方式４Ｂでは、スケジューラ１０１（図２）によって、帯域Ｗが「可変」、セグメント長Ｔが「一定／可変」で、かつ、セグメント切り替え時刻が「個別」となるように制御が行われる点で、帯域制御方式４（図１８）と共通している。一方で、帯域制御方式４Ｂでは、シーンチェンジ発生時に、セグメント分割方式を用いた処理が行われる点が、帯域制御方式４（図１８）とは異なっており、以下、この点を中心に説明する。
【０２１０】
すなわち、帯域制御方式４Ｂでは、各セグメントＳの帯域Ｗが「可変」で、セグメント長Ｔが「一定／可変」となるので、コンポーネントＣごとに、帯域Ｗとセグメント長Ｔにより定まる各セグメントＳの領域（図中の各コンポーネントのセグメントごとに異なる模様の領域）では、縦方向の幅と横方向の幅が、共に一致していない。また、帯域制御方式４Ａでは、セグメント切り替え時刻が「個別」となるので、各コンポーネントＣにおけるセグメントＳの切り替え時刻は、一定の期間とはならない。
【０２１１】
ここで、コンポーネントＣ１の各セグメントＳに注目すれば、セグメントＳ１２の処理中である時刻t2にシーンチェンジが発生した場合、セグメント分割方式に従い、その時点で、あらかじめ定められたセグメント長の途中でもセグメントＳ１２を強制的に終了し、新たなセグメントＳ１３の処理が開始されるようにする。これにより、例えば、セグメントＳ内に２つのＩフレームが存在することなく、シーンチェンジ発生時の画質の劣化を抑制することができる。
【０２１２】
以上、帯域制御方式４Ｂを採用した場合の帯域制御について説明した。
【０２１３】
＜４．各装置で実行される処理の流れ＞
【０２１４】
次に、図２１乃至図２３のフローチャートを参照して、図１の伝送システム１を構成する送信装置１０と受信装置２０で実行される処理の流れについて説明する。
【０２１５】
（送信側データ処理の流れ）
まず、図２１のフローチャートを参照して、図１の送信装置１０により実行される送信側データ処理の流れについて説明する。
【０２１６】
ステップＳ１０１において、スケジューラ１０１は、スケジューリング処理を行う。このスケジューリング処理では、エンコーダ１０３−１乃至NRT処理部１０３−６で行われるエンコードの制御に関する処理と、PLP処理部１０５−１及びPLP処理部１０５−２で行われるPLPの帯域制御に関する処理が行われる。なお、スケジューリング処理の詳細な内容は、図２２のフローチャートを参照して、後述する。
【０２１７】
ステップＳ１０２において、エンコーダ１０３−１乃至NRT処理部１０３−６は、コンポーネント処理を行う。このコンポーネント処理では、コンポーネントＣ１乃至コンポーネントＣ６のデータが、ステップＳ１０１の処理で算出されるターゲット符号量に応じたセグメント単位で処理（エンコード）される。
【０２１８】
なお、コンポーネントＣ１乃至コンポーネントＣ３のデータは、マルチプレクサ１０４−１により多重化され、コンポーネントＣ４乃至コンポーネントＣ６のデータは、マルチプレクサ１０４−２により多重化される。
【０２１９】
ステップＳ１０３において、PLP処理部１０５−１及びPLP処理部１０５−２は、PLP処理を行う。このPLP処理では、PLP処理部１０５−１によって、ステップＳ１０１の処理で算出されるPLP#1のセル数に基づいて、PLP#1の帯域制御が行われる。また、PLP処理部１０５−２によって、ステップＳ１０１の処理で算出されるPLP#2のセル数に基づいて、PLP#2の帯域制御が行われる。
【０２２０】
ステップＳ１０４において、物理層処理部１０６は、物理層処理を行う。この物理層処理では、ステップＳ１０３の処理の帯域制御に応じたPLPが、ペイロードに配置された物理層フレームが生成される。
【０２２１】
ステップＳ１０５において、送信部１０７は、デジタル放送信号の送信処理を行う。この送信処理では、ステップＳ１０４の処理で生成された物理層フレームが処理され、IP伝送方式のデジタル放送信号として送信される。
【０２２２】
ステップＳ１０５の処理が終了すると、図２１の送信側データ処理は終了される。
【０２２３】
以上、送信側データ処理の流れについて説明した。
【０２２４】
（スケジューリング処理の流れ）
次に、図２２のフローチャートを参照して、図２１のステップＳ１０１の処理に対応するスケジューリング処理の詳細な処理の流れについて説明する。
【０２２５】
ステップＳ１２１において、スケジューラ１０１は、そこに入力される物理層情報を取得する。この物理層情報には、物理層フレーム全体のセル数を示すトータルセル数と、PLPごとの変調パラメータが含まれる。
【０２２６】
ステップＳ１２２において、スケジューラ１０１は、エンコーダ１０３−１乃至NRT処理部１０３−６のそれぞれから供給される符号難易度情報を取得する。
【０２２７】
ステップＳ１２３において、スケジューラ１０１は、各コンポーネントのセル数を決定する。
【０２２８】
ここでは、例えば、ステップＳ１２２の処理で取得した符号難易度情報等に基づいて、各コンポーネントのセル数を決定することができる。また、ステップＳ１２１の処理で取得したPLPごとの変調パラメータを用いることで、各コンポーネントのセル数から、ターゲット符号量を求めることができる。このようにして求められたターゲット符号量は、エンコーダ１０３−１乃至NRT処理部１０３−６にそれぞれ供給される。
【０２２９】
また、例えば、ステップＳ１２３の処理で決定した各コンポーネントのセル数に基づいて、PLP#1のセル数と、PLP#2のセル数とを算出することができる。そして、PLP#1のセル数は、PLP処理部１０５−１に供給され、PLP#2のセル数は、PLP処理部１０５−２に供給される。
【０２３０】
ステップＳ１２３の処理が終了すると、処理は、図２１のステップＳ１０１の処理に戻り、それ以降の処理が実行される。
【０２３１】
以上、スケジューリング処理の流れについて説明した。
【０２３２】
（受信側データ処理の流れ）
次に、図２３のフローチャートを参照して、図１の受信装置２０により実行される受信側データ処理の流れについて説明する。
【０２３３】
ステップＳ２０１において、受信部２０１は、デジタル放送信号の受信処理を行う。この受信処理では、送信装置１０から伝送路３０を介して送信されてくるIP伝送方式のデジタル放送信号が受信される。
【０２３４】
ステップＳ２０２において、復調処理部２０２は、ステップＳ２０１の処理で得られる信号に対する復調処理を行う。この復調処理では、OFDM復調や誤り訂正処理などが行われる。なお、この復調処理で得られる多重化ストリームは、デマルチプレクサ２０３によりコンポーネントのデータに分離される。
【０２３５】
ステップＳ２０３において、デコーダ２０４は、ステップＳ２０２の処理で得られるコンポーネントのデータを、所定の復号方式に従い、デコードする。
【０２３６】
ステップＳ２０４において、出力部２０５は、ステップＳ２０３の処理で得られるビデオデータに応じた映像を表示する。また、出力部２０５は、ステップＳ２０３の処理で得られるオーディオデータに応じた音声を出力する。
【０２３７】
ステップＳ２０４の処理が終了すると、図２３の受信側データ処理は終了される。
【０２３８】
以上、受信側データ処理の流れについて説明した。
【０２３９】
＜５．変形例＞
【０２４０】
（送信装置の他の構成例）
ところで、ATSC3.0では、複数のチャネル(周波数帯域)を結合して利用するチャネルボンディング（Channel bonding）が採用されており、このチャネルボンディングに対応した送信装置１０の構成の例を、図２４に示している。図２４の送信装置１０においては、物理層処理部１０６によって、複数のチャネル（周波数帯域）が結合されて使用される。
【０２４１】
また、チャネルボンディングにおいては、周波数ホッピング方式を採用してもよい。ここで、周波数ホッピングとは、フェージング対策などを目的として、所定の時間ごとに使用する周波数帯域を変更する技術である。
【０２４２】
なお、上述した説明では、説明を簡略化するために、帯域を確保する必要があるデータとして、コンポーネントを中心に説明したが、NRTコンテンツ等の非リアルタイムのデータ以外のリアルタイムのデータ（例えば、サービスインフォメーション（SI：Service Information）など）については、帯域を確保する必要がある。このようなリアルタイムのデータについても、上述したコンポーネントと同様に帯域制御を行うことができる。
【０２４３】
また、上述した説明としては、デジタル放送の規格として、米国等で採用されている方式であるATSC（特に、ATSC3.0）を説明したが、本技術は、日本等が採用する方式であるISDB(Integrated Services Digital Broadcasting)や、欧州の各国等が採用する方式であるDVB(Digital Video Broadcasting)などに適用するようにしてもよい。さらに、デジタル放送としては、地上波放送のほか、BS(Broadcasting Satellite)やCS(Communications Satellite)等の衛星放送や、ケーブルテレビ（CATV）等の有線放送などに適用することができる。
【０２４４】
また、本技術は、伝送路として、放送網以外の伝送路、すなわち、例えば、インターネットや電話網等の通信回線（通信網）などを利用することを想定して規定されている所定の規格（デジタル放送の規格以外の規格）などにも適用することができる。その場合には、伝送路３０として、インターネットや電話網などの通信回線が利用され、送信装置１０は、インターネット上に設けられたサーバとすることができる。そして、受信装置２０が通信機能を有するようにすることで、送信装置１０は、受信装置２０からの要求に応じて、処理を行うことになる。
【０２４５】
＜６．コンピュータの構成＞
【０２４６】
上述した一連の処理は、ハードウェアにより実行することもできるし、ソフトウェアにより実行することもできる。一連の処理をソフトウェアにより実行する場合には、そのソフトウェアを構成するプログラムが、コンピュータにインストールされる。図２５は、上述した一連の処理をプログラムにより実行するコンピュータのハードウェアの構成例を示す図である。
【０２４７】
コンピュータ９００において、CPU(Central Processing Unit)９０１，ROM(Read Only Memory)９０２，RAM(Random Access Memory)９０３は、バス９０４により相互に接続されている。バス９０４には、さらに、入出力インターフェース９０５が接続されている。入出力インターフェース９０５には、入力部９０６、出力部９０７、記録部９０８、通信部９０９、及び、ドライブ９１０が接続されている。
【０２４８】
入力部９０６は、キーボード、マウス、マイクロフォンなどよりなる。出力部９０７は、ディスプレイ、スピーカなどよりなる。記録部９０８は、ハードディスクや不揮発性のメモリなどよりなる。通信部９０９は、ネットワークインターフェースなどよりなる。ドライブ９１０は、磁気ディスク、光ディスク、光磁気ディスク、又は半導体メモリなどのリムーバブルメディア９１１を駆動する。
【０２４９】
以上のように構成されるコンピュータ９００では、CPU９０１が、ROM９０２や記録部９０８に記録されているプログラムを、入出力インターフェース９０５及びバス９０４を介して、RAM９０３にロードして実行することにより、上述した一連の処理が行われる。
【０２５０】
コンピュータ９００（CPU９０１）が実行するプログラムは、例えば、パッケージメディア等としてのリムーバブルメディア９１１に記録して提供することができる。また、プログラムは、ローカルエリアネットワーク、インターネット、デジタル衛星放送といった、有線又は無線の伝送媒体を介して提供することができる。
【０２５１】
コンピュータ９００では、プログラムは、リムーバブルメディア９１１をドライブ９１０に装着することにより、入出力インターフェース９０５を介して、記録部９０８にインストールすることができる。また、プログラムは、有線又は無線の伝送媒体を介して、通信部９０９で受信し、記録部９０８にインストールすることができる。その他、プログラムは、ROM９０２や記録部９０８に、あらかじめインストールしておくことができる。
【０２５２】
ここで、本明細書において、コンピュータがプログラムに従って行う処理は、必ずしもフローチャートとして記載された順序に沿って時系列に行われる必要はない。すなわち、コンピュータがプログラムに従って行う処理は、並列的あるいは個別に実行される処理（例えば、並列処理あるいはオブジェクトによる処理）も含む。また、プログラムは、１のコンピュータ（プロセッサ）により処理されるものであってもよいし、複数のコンピュータによって分散処理されるものであってもよい。
【０２５３】
なお、本技術の実施の形態は、上述した実施の形態に限定されるものではなく、本技術の要旨を逸脱しない範囲において種々の変更が可能である。
【０２５４】
また、本技術は、以下のような構成をとることができる。
【０２５５】
（１）
複数のPLP(Physical Layer Pipe)を含む物理層フレームの全体のセル数が、前記複数のPLPのセル数の総和と一致するように、各PLPで伝送されるコンポーネントのセル数を決定する処理部と、
前記物理層フレームを含む放送ストリームを送信する送信部と
を備える送信装置。
（２）
前記コンポーネントは、セグメント長と帯域により定まるセグメント単位で処理される
（１）に記載の送信装置。
（３）
前記処理部は、前記セグメントごとに、前記セグメント長及び前記帯域の少なくとも一方を可変制御することで、前記セグメントの符号量を動的に変化させる
（２）に記載の送信装置。
（４）
前記複数のPLPは、PLPごとに変調パラメータが異なる
（１）に記載の送信装置。
（５）
前記処理部は、前記コンポーネントの発生符号量の変化が発生した場合、対象のセグメント内の帯域を増加又は減少させる
（２）に記載の送信装置。
（６）
前記処理部は、前記コンポーネントの発生符号量の増加が発生した場合、対象のセグメントを終了させて、新たなセグメントを開始させる
（２）に記載の送信装置。
（７）
前記処理部は、前記コンポーネントとして、非リアルタイム型のコンポーネントを含む場合、リアルタイム型のコンポーネントの発生符号量に応じて、前記非リアルタイム型のコンポーネントのセグメントの帯域を制御する
（２）に記載の送信装置。
（８）
前記物理層フレームの全体のセル数は、前記物理層フレームの構造を決定したときに、一意に定まるパラメータである
（１）乃至（７）のいずれかに記載の送信装置。
（９）
送信装置のデータ処理方法において、
前記送信装置が、
複数のPLPを含む物理層フレームの全体のセル数が、前記複数のPLPのセル数の総和と一致するように、各PLPで伝送されるコンポーネントのセル数を決定し、
前記物理層フレームを含む放送ストリームを送信する
ステップを含むデータ処理方法。
（１０）
複数のPLPを含む物理層フレームであって、前記物理層フレームの全体のセル数が、前記複数のPLPのセル数の総和と一致するように、各PLPで伝送されるコンポーネントのセル数が割り当てられた前記物理層フレームを含む放送ストリームを受信する受信部と、
前記物理層フレームを処理する処理部と
を備える受信装置。
（１１）
前記複数のPLPは、PLPごとに変調パラメータが異なる
（１０）に記載の受信装置。
（１２）
受信装置のデータ処理方法において、
前記受信装置が、
複数のPLPを含む物理層フレームであって、前記物理層フレームの全体のセル数が、前記複数のPLPのセル数の総和と一致するように、各PLPで伝送されるコンポーネントのセル数が割り当てられた前記物理層フレームを含む放送ストリームを受信し、
前記物理層フレームを処理する
ステップを含むデータ処理方法。
【符号の説明】
【０２５６】
１  伝送システム，  １０  送信装置，  ２０  受信装置，  ３０  伝送路，  １０１  スケジューラ，  １０２−１，１０２−２  データ取得部，  １０３−１乃至１０３−５  エンコーダ，  １０３−６  NRT処理部，  １０４−１，１０４−２  マルチプレクサ，  １０５−１，１０５−２  PLP処理部，  １０６  物理層処理部，  １０７  送信部，  ２０１  受信部，  ２０２  復調処理部，  ２０３  デマルチプレクサ，  ２０４  デコーダ，  ２０５  出力部，  ９００  コンピュータ，  ９０１  CPU
【図１】
2017047424.tif 000004
【図２】
2017047424.tif 000005
【図３】
2017047424.tif 000006
【図４】
2017047424.tif 000007
【図５】
2017047424.tif 000008
【図６】
2017047424.tif 000009
【図７】
2017047424.tif 000010
【図８】
2017047424.tif 000011
【図９】
2017047424.tif 000012
【図１０】
2017047424.tif 000013
【図１１】
2017047424.tif 000014
【図１２】
2017047424.tif 000015
【図１３】
2017047424.tif 000016
【図１４】
2017047424.tif 000017
【図１５】
2017047424.tif 000018
【図１６】
2017047424.tif 000019
【図１７】
2017047424.tif 000020
【図１８】
2017047424.tif 000021
【図１９】
2017047424.tif 000022
【図２０】
2017047424.tif 000023
【図２１】
2017047424.tif 000024
【図２２】
2017047424.tif 000025
【図２３】
2017047424.tif 000026
【図２４】
2017047424.tif 000027
【図２５】
2017047424.tif 000028
【手続補正書】
【提出日】平成29年1月20日(2017.1.20)
【手続補正１】
【補正対象書類名】特許請求の範囲
【補正対象項目名】全文
【補正方法】変更
【補正の内容】
【特許請求の範囲】
【請求項１】
複数のＰＬＰ（Ｐｈｙｓｉｃａｌ  Ｌａｙｅｒ  Ｐｉｐｅ）を含む物理層フレームの全体のセル数が、前記複数のＰＬＰのセル数の総和と一致するように、各ＰＬＰで伝送されるコンポーネントのセル数を決定する処理部と、
前記物理層フレームを含む放送ストリームを送信する送信部と
を備え、
前記コンポーネントは、セグメント長と帯域により定まるセグメント単位で処理され、
前記処理部は、前記セグメントごとに、前記セグメント長及び前記帯域の少なくとも一方を可変制御することで、前記セグメントの符号量を動的に変化させる
送信装置。
【請求項２】
（削除）
【請求項３】
（削除）
【請求項４】
前記複数のＰＬＰは、ＰＬＰごとに変調パラメータが異なる
請求項１に記載の送信装置。
【請求項５】
前記処理部は、前記コンポーネントの発生符号量の変化が発生した場合、対象のセグメント内の帯域を増加又は減少させる
請求項１に記載の送信装置。
【請求項６】
前記処理部は、前記コンポーネントの発生符号量の増加が発生した場合、対象のセグメントを終了させて、新たなセグメントを開始させる
請求項１に記載の送信装置。
【請求項７】
前記処理部は、前記コンポーネントとして、非リアルタイム型のコンポーネントを含む場合、リアルタイム型のコンポーネントの発生符号量に応じて、前記非リアルタイム型のコンポーネントのセグメントの帯域を制御する
請求項１に記載の送信装置。
【請求項８】
前記物理層フレームの全体のセル数は、前記物理層フレームの構造を決定した時に、一意に定まるパラメータである
請求項１に記載の送信装置。
【請求項９】
送信装置のデータ処理方法において、
前記送信装置が、
複数のＰＬＰを含む物理層フレームの全体のセル数が、前記複数のＰＬＰのセル数の総和と一致するように、各ＰＬＰで伝送されるコンポーネントのセル数を決定し、
前記物理層フレームを含む放送ストリームを送信する
ステップを含み、
前記コンポーネントは、セグメント長と帯域により定まるセグメント単位で処理され、
前記セグメントごとに、前記セグメント長及び前記帯域の少なくとも一方を可変制御することで、前記セグメントの符号量を動的に変化させる
ステップをさらに含む
データ処理方法。
【請求項１０】
複数のＰＬＰを含む物理層フレームであって、前記物理層フレームの全体のセル数が、前記複数のＰＬＰのセル数の総和と一致するように、各ＰＬＰで伝送されるコンポーネントのセル数が割り当てられた前記物理層フレームを含む放送ストリームを受信する受信部と、
前記物理層フレームを処理する処理部と
を備え、
前記コンポーネントは、セグメント長と帯域により定まるセグメント単位で処理されており、
前記セグメントごとに、前記セグメント長及び前記帯域の少なくとも一方が可変制御されて、前記セグメントの符号量が動的に変化されている
受信装置。
【請求項１１】
前記複数のＰＬＰは、ＰＬＰごとに変調パラメータが異なる
請求項１０に記載の受信装置。
【請求項１２】
受信装置のデータ処理方法において、
前記受信装置が、
複数のＰＬＰを含む物理層フレームであって、前記物理層フレームの全体のセル数が、前記複数のＰＬＰのセル数の総和と一致するように、各ＰＬＰで伝送されるコンポーネントのセル数が割り当てられた前記物理層フレームを含む放送ストリームを受信し、
前記物理層フレームを処理する
ステップを含み、
前記コンポーネントは、セグメント長と帯域により定まるセグメント単位で処理されており、
前記セグメントごとに、前記セグメント長及び前記帯域の少なくとも一方が可変制御されて、前記セグメントの符号量が動的に変化されている
データ処理方法。
【国際調査報告】
2017047424.tif 000029
2017047424.tif 000030